(57)【特許請求の範囲】
【請求項１】
所定の空間に設けられる複数の灯具と、
前記複数の灯具の配置を表示する表示部と、
前記表示部に表示され、前記所定の空間において用いられる機器を意匠化したアイコンを記憶する記憶部と、
前記表示部上で前記アイコンの位置を操作可能な操作入力部と、
前記複数の灯具の配置と前記アイコンの位置とに応じて、前記複数の灯具の点灯パターンを設定する制御部と、を備えることを特徴とする照明制御システム。
【請求項２】
前記制御部は、前記点灯パターンに応じて前記複数の灯具を表示するように前記表示部を制御する、ことを特徴とする請求項１に記載の照明制御システム。
【請求項３】
前記複数の灯具を操作可能な操作機器を更に備え、
前記制御部は、前記点灯パターンを前記操作機器に関連付ける、ことを特徴とする請求項１又は２に記載の照明制御システム。
【請求項４】
前記アイコンは、第１のアイコンと、第２のアイコンとを含み、
前記制御部は、前記複数の灯具の配置に対して前記第１のアイコンの位置が近い場合には前記複数の灯具の少なくとも一部の灯具の点灯状態を明るくし、前記複数の灯具の配置に対して前記第２のアイコンの位置が近い場合には前記複数の灯具の少なくとも一部の灯具の点灯状態を暗くすることを特徴とする請求項１乃至３のいずれか一項に記載の照明制御システム。
【請求項５】
前記制御部は、前記複数の灯具の点灯パターンの設定に関し、前記各灯具が点灯した状態から前記点灯パターンを設定する第１のモードと、前記各灯具が消灯した状態から前記点灯パターンを設定する第２のモードとを備える、ことを特徴とする請求項１乃至４のいずれか一項に記載の照明制御システム。
【請求項６】
所定の空間に設けられる複数の灯具と、前記複数の灯具の配置を表示する表示部とを制御可能な照明制御装置であって、
前記表示部に表示され、前記所定の空間において用いられる機器を意匠化したアイコンを記憶する記憶部と、
前記表示部上で前記アイコンの位置を操作可能な操作入力部と、
前記複数の灯具の配置と前記アイコンの位置とに応じて、前記複数の灯具の点灯パターンを設定する制御部と、を備えることを特徴とする照明制御装置。
【請求項７】
前記制御部は、前記点灯パターンに応じて前記複数の灯具を表示するように前記表示部を制御する、ことを特徴とする請求項６に記載の照明制御装置。
【請求項８】
前記制御部は、前記点灯パターンを前記複数の灯具を操作可能な操作機器に関連付ける、ことを特徴とする請求項６又は７に記載の照明制御装置。
【請求項９】
前記アイコンは、第１のアイコンと、第２のアイコンとを含み、
前記制御部は、前記複数の灯具の配置に対して前記第１のアイコンの位置が近い場合には前記複数の灯具の少なくとも一部の灯具の点灯状態を明るくし、前記複数の灯具の配置に対して前記第２のアイコンの位置が近い場合には前記複数の灯具の少なくとも一部の灯具の点灯状態を暗くすることを特徴とする請求項６乃至８のいずれか一項に記載の照明制御装置。
【請求項１０】
前記制御部は、前記複数の灯具の点灯パターンの設定に関し、前記各灯具が点灯した状態から前記点灯パターンを設定する第１のモードと、前記各灯具が消灯した状態から前記点灯パターンを設定する第２のモードとを備える、ことを特徴とする請求項６乃至９のいずれか一項に記載の照明制御装置。
【請求項１１】
所定の空間に設けられる複数の灯具と、前記複数の灯具の配置を表示する表示部と、前記表示部に表示され、前記所定の空間において用いられる機器を意匠化したアイコンを記憶する記憶部と、前記表示部上で前記アイコンの位置を操作可能な操作入力部と、を備える照明制御システムの照明制御方法であって、
前記照明制御システムによる処理手順が、前記複数の灯具の配置と前記アイコンの位置とに応じて、前記複数の灯具の点灯パターンを設定するステップを含む、ことを特徴とする照明制御方法。
【発明の詳細な説明】
【技術分野】
【０００１】
この発明は、照明制御システム、照明制御装置、および照明制御方法に関し、特に複数の灯具に部屋の用途に応じた点灯パターンを設定する照明制御システム、照明制御装置、および照明制御方法に関する。
【背景技術】
【０００２】
一般に、建物の室内には、個別のアドレスを割当てられた複数の灯具が設けられ、各灯具の点灯／消灯などの照明状態は、例えばパソコンモニター上などから管理者が個々に設定を行うことができる。ここで、部屋の用途は様々であり、複数の灯具の設定を用途に合わせて動的に変更可能なシステムが期待されている。
【０００３】
従来方式として、各灯具および各操作機器のアドレスが登録され、間仕切りが配置される位置をセンサによって検知し、間仕切りにより形成される部屋内に対応するアドレスを有する灯具とスイッチ等の操作機器とを組み合わせることが提案されている（特許文献１、２参照）。
【先行技術文献】
【特許文献】
【０００４】
【特許文献１】特開２００９−１９１５７５号公報
【特許文献２】特開２０１０−２５１９３８号公報
【発明の概要】
【発明が解決しようとする課題】
【０００５】
例えば会議室では、用途に応じて、プレゼンテーションの際にスクリーンの周りの灯具を暗くしたり、発表者の周囲の灯具は明るくしたりするといった演出効果が必要となる。スクリーンの配置や発表者の位置はプレゼンテーションの規模等に応じて変化するものであるため、従来は、その都度管理者が個々に手動で設定する必要があった。また、灯具の設定に関し、管理者は、部屋の大きさや機器の配置に合わせた最適な照明設定等を事前に把握しておく必要があった。
【０００６】
したがって、かかる点に鑑みてなされた本発明の目的は、部屋の事前知識の有無によらず、部屋の用途に応じた灯具の点灯パターンを動的に設定可能な照明制御システム、照明制御装置、および照明制御方法を提供することにある。
【課題を解決するための手段】
【０００７】
上述した諸課題を解決すべく、本発明による照明制御システムは、
所定の空間に設けられる複数の灯具と、
前記複数の灯具の配置を表示する表示部と、
前記表示部に表示され、前記所定の空間において用いられる機器を意匠化したアイコンを記憶する記憶部と、
前記表示部上で前記アイコンの位置を操作可能な操作入力部と、
前記複数の灯具の配置と前記アイコンの位置とに応じて、前記複数の灯具の点灯パターンを設定する制御部と、を備えることを特徴とする。
【０００８】
また、前記制御部は、前記点灯パターンに応じて前記複数の灯具を表示するように前記表示部を制御する、ことが好ましい。
【０００９】
また、前記複数の灯具を操作可能な操作機器を更に備え、
前記制御部は、前記点灯パターンを前記操作機器に関連付ける、ことが好ましい。
【００１０】
また、前記アイコンは、第１のアイコンと、第２のアイコンとを含み、
前記制御部は、前記複数の灯具の配置に対して前記第１のアイコンの位置が近い場合には前記複数の灯具の少なくとも一部の灯具の点灯状態を明るくし、前記複数の灯具の配置に対して前記第２のアイコンの位置が近い場合には前記複数の灯具の少なくとも一部の灯具の点灯状態を暗くすることが好ましい。
【００１１】
また、前記制御部は、前記複数の灯具の点灯パターンの設定に関し、前記各灯具が点灯した状態から前記点灯パターンを設定する第１のモードと、前記各灯具が消灯した状態から前記点灯パターンを設定する第２のモードとを備える、ことが好ましい。
【００１２】
さらに、上述した諸課題を解決すべく、本発明による照明制御装置は、
所定の空間に設けられる複数の灯具と、前記複数の灯具の配置を表示する表示部とを制御可能な照明制御装置であって、
前記表示部に表示され、前記所定の空間において用いられる機器を意匠化したアイコンを記憶する記憶部と、
前記表示部上で前記アイコンの位置を操作可能な操作入力部と、
前記複数の灯具の配置と前記アイコンの位置とに応じて、前記複数の灯具の点灯パターンを設定する制御部と、を備えることを特徴とする。
【００１３】
また、前記制御部は、前記点灯パターンに応じて前記複数の灯具を表示するように前記表示部を制御する、ことが好ましい。
【００１４】
また、前記制御部は、前記点灯パターンを前記複数の灯具を操作可能な操作機器に関連付ける、ことを特徴とする。
【００１５】
また、前記アイコンは、第１のアイコンと、第２のアイコンとを含み、
前記制御部は、前記複数の灯具の配置に対して前記第１のアイコンの位置が近い場合には前記複数の灯具の少なくとも一部の灯具の点灯状態を明るくし、前記複数の灯具の配置に対して前記第２のアイコンの位置が近い場合には前記複数の灯具の少なくとも一部の灯具の点灯状態を暗くすることを特徴とする。
【００１６】
また、前記制御部は、前記複数の灯具の点灯パターンの設定に関し、前記各灯具が点灯した状態から前記点灯パターンを設定する第１のモードと、前記各灯具が消灯した状態から前記点灯パターンを設定する第２のモードとを備える、ことを特徴とする。
【００１７】
さらに、上述した諸課題を解決すべく、本発明による照明制御方法は、
所定の空間に設けられる複数の灯具と、前記複数の灯具の配置を表示する表示部と、前記表示部に表示され、前記所定の空間において用いられる機器を意匠化したアイコンを記憶する記憶部と、前記表示部上で前記アイコンの位置を操作可能な操作入力部と、を備える照明制御システムの照明制御方法であって、
前記照明制御システムによる処理手順が、前記複数の灯具の配置と前記アイコンの位置とに応じて、前記複数の灯具の点灯パターンを設定するステップを含む、ことを特徴とする。
【発明の効果】
【００１８】
本発明に係る照明制御システム、照明制御装置、および照明制御方法によれば、部屋の事前知識の有無によらず、部屋の用途に応じた灯具の点灯パターンを動的に設定することが可能となる。
【図面の簡単な説明】
【００１９】
【図１】本発明の一実施形態に係る照明制御装置を有する照明制御システムの構成を示す図である。
【図２】室内の灯具および操作機器１０４の配置の一例を示す図である。
【図３】灯具制御アイコンの一例を示す図である。
【図４】点灯パターン設定のユーザインタフェースの一例を示す図である。
【図５】プレゼンテーションモードにおける点灯パターン設定の一例を示す図である。
【図６】プレゼンテーションモードにおける点灯パターン設定の一例を示す図である。
【図７】スポットライトモードにおける点灯パターン設定の一例を示す図である。
【図８】スポットライトモードにおける点灯パターン設定の一例を示す図である。
【発明を実施するための形態】
【００２０】
以降、諸図面を参照しながら、本発明の実施態様を詳細に説明する。
【００２１】
図１は、本発明の一実施形態に係る照明制御装置１０１を有する照明制御システム１００の構成を示すブロック図である。照明制御システム１００は、照明制御装置１０１、信号伝送線１０２、灯具１０３、および操作機器１０４を含んで構成される。照明制御装置１０１、複数の灯具１０３、および複数の操作機器１０４は、信号伝送線１０２を介して接続される。
【００２２】
灯具１０３は、例えばＬＥＤ光源などの照明光源を有しており、点灯および消灯を切替えたり、照明光の光量（明るさ／暗さ）を調整したりすることも可能である。灯具１０３には、照明制御装置１０１および操作機器１０４による操作ため、個別のアドレスが設定されている。
【００２３】
操作機器１０４は、例えば灯具１０３の点灯／消灯の切替スイッチや照明光の光量の調整ダイヤルなどを有する壁付け操作ユニット（固定操作器）である。また、操作機器１０４は、切替スイッチや光量の調整ボタンなどを有する無線入力端末（操作端末）として構成することも可能である。例えば、携帯電話（スマートフォン）等を用いて操作機器１０４を構成することができる。
【００２４】
次に、照明制御装置１０１について説明する。照明制御装置１０１は、制御部１０５、表示部１０６、記憶部１０７、および操作入力部１０８を含んで構成される。照明制御装置１０１は、例えばパソコン、携帯電話（スマートフォン）などにより構成することができる。なお、照明制御装置１０１は、必ずしも表示部１０６を一体的に備える必要はなく、例えばサーバー装置（照明制御装置）と液晶ディスプレイ（表示部）のように、外部の表示部１０６を制御する構成とすることも可能である。
【００２５】
表示部１０６は、画面上に灯具１０３の配置を表示し、好適には操作機器１０４の配置も表示することができる。図２は、室内の灯具１０３および操作機器１０４の配置の一例を示す図である。表示部１０６は、部屋の外枠Ｒ内に、実際の室内における配置に合わせて複数の灯具１０３および操作機器１０４を表示する。また、表示部１０６は、図３に示す各種のアイコン（灯具制御アイコン、詳細は後述）を画面に表示させ、例えば図４に示すユーザインタフェースを表示することができる。図４に示すユーザインタフェースでは、ユーザは、複数の灯具１０３が配置された部屋に対して、マウス等（操作入力部１０８）のポインタＰを操作し、灯具制御アイコン（Ｐ１−Ｐ５）を所定位置に移動させることができる。
【００２６】
記憶部１０７は、各灯具１０３の配置および個別のアドレスを記憶すると共に、表示部１０６に表示され、各灯具１０３の明暗に影響を与える灯具制御アイコンを記憶する。灯具制御アイコンは、会議室等の室内にて用いられる機器などを示すものであり、例えば図３に示すとおり、スクリーンアイコンＰ１、プロジェクターアイコンＰ２、演台アイコンＰ３、スポットライトアイコンＰ４、デスクアイコンＰ５などを含むものである。灯具制御アイコンは、周囲に配置された各灯具１０３を暗くする灯具消灯アイコンと、周囲に配置された各灯具１０３を明るくする灯具点灯アイコンとを含む。例えば、灯具消灯アイコンは、スクリーンアイコンＰ１およびプロジェクターアイコンＰ２などであり、灯具点灯アイコンは、演台アイコンＰ３、スポットライトアイコンＰ４、デスクアイコンＰ５などである。灯具制御アイコンが周囲の灯具１０３に影響を与える範囲や、明るさ暗さの強弱などは、灯具制御アイコンの種類毎に予め設定することが可能である。また、灯具制御アイコンの形状はマウス等（操作入力部１０８）の操作により変更可能であり、例えばデスクアイコンＰ５などは、実際の机の形状に合わせ、大きさや形状を変化させることができる。
【００２７】
操作入力部１０８は、表示部１０６上で灯具制御アイコンの位置を操作可能なものであり、例えば、キーボード、マウス、およびタッチパネルなどの入力インタフェースから構成される。上記の通り、例えば図４に示すユーザインタフェースにおいて、操作入力部１０８は、ポインタＰの操作により、アイコン置き場Ｗから必要な灯具制御アイコン（Ｐ１〜Ｐ５）を室内の所定位置に移動させることができる。
【００２８】
制御部１０５は、複数の灯具１０３の配置（例えば、表示部１０６上の２次元座標）と灯具制御アイコンの位置（移動先の座標）とに応じて、複数の灯具１０３の点灯パターンを決定する。すなわち、制御部１０５は、灯具制御アイコンの座標を特定し、当該座標の周辺の予め定められた範囲内にある灯具１０３を特定し、特定された灯具１０３ごとに点灯パターンを決定する。点灯パターンとは、各灯具１０３の点灯／消灯、および点灯時の照度（明るさ／暗さ）などを規定するものである。
【００２９】
制御部１０５は、灯具１０３の点灯パターンの設定に関し、各灯具１０３が点灯した状態から点灯パターンを設定するプレゼンテーションモード（第１のモード）と、各灯具１０３が消灯した状態から点灯パターンを設定するスポットライトモード（第２のモード）とを備えることができる。プレゼンテーションモードとは、例えば会議室をプレゼンテーションに使用する際を想定して、各灯具１０３が点灯した状態から、灯具制御アイコンを設置するためのモードである。なお、プレゼンテーションモードにおける各灯具１０３の初期の明るさ（暗さ）は、予め設定することが可能である。スポットライトモードとは、例えば会議室を表彰式など各種セレモニー等に使用する場合や、省電力を意図した照明設定を行う場合を想定して、各灯具１０３が消灯した状態から、灯具制御アイコンを設置するためのモードである。
【００３０】
制御部１０５は、設定した点灯パターンに基づき、各灯具１０３の点灯／消灯、および点灯時の照度を制御する。即ち、制御部１０５は設定した点灯パターンを実際に室内の灯具１０３の照明状態として設定する。また、制御部１０５は、点灯パターンに応じて灯具１０３を表示するように表示部１０６を制御することができる。即ち、制御部１０５は、表示部１０６に対して、ユーザインタフェース上に随時現在の点灯パターンを表示させるように制御する。さらに制御部１０５は、設定した点灯パターンを操作機器１０４に関連付けることができる。これにより、室内の運営者などが、部屋壁面のスイッチ操作により、容易に所望の点灯パターンに切替えることが可能となる。
【００３１】
以下、制御部１０５による各灯具１０３の点灯パターン決定の具体例について詳述する。
【００３２】
図５は、プレゼンテーションモードにおける点灯パターン設定の一例を示す図である。図５の例では、初期状態において、各灯具１０３は暗めに点灯するように設定されている。図示の通り、制御部１０５は、灯具消灯アイコンであるスクリーンアイコンＰ１およびプロジェクターアイコンＰ２の周囲の灯具１０３が暗く、灯具点灯アイコンであるデスクアイコンＰ５の周囲の灯具１０３が明るくなるように、点灯パターンを設定する。
【００３３】
なお、制御部１０５は、プレゼンテーションボタン５１およびスポットライトボタン５２へのユーザ入力により、プレゼンテーションモードおよびスポットライトモードを切替えることができる。制御部１０５は、プレゼンテーションモードに切替える場合、アイコン置き場Ｗに、プレゼンテーションモードで使用可能な灯具制御アイコンを配置することができる。例えば、制御部１０５は、スクリーンアイコンＰ１、プロジェクターアイコンＰ２、およびデスクアイコンＰ５を、プレゼンテーションモードで使用可能な灯具制御アイコンとしてアイコン置き場Ｗに配置する。
【００３４】
図６は、プレゼンテーションモードにおける点灯パターン設定の他の一例を示す図である。図６の例では、初期状態において、各灯具１０３は明るめに点灯するように設定されている。図示の通り、制御部１０５は、灯具消灯アイコンであるスクリーンアイコンＰ１およびプロジェクターアイコンＰ２の周囲の灯具１０３が暗くなるように点灯パターンを設定する。ここで、操作入力部１０８を通じたポインタＰの操作により、灯具制御アイコンが移動中の間も、制御部１０５は、随時各灯具１０３の照明状態を切替え、表示部１０６において、リアルタイムに点灯パターンを更新することができる。
【００３５】
図７は、スポットライトモードにおける点灯パターン設定の一例を示す図である。スポットライトモードでは、初期状態において、各灯具１０３は消灯するように設定されている。図示の通り、制御部１０５は、灯具点灯アイコンである演台アイコンＰ３の周囲の灯具１０３が点灯するように点灯パターンを設定する。なお、制御部１０５は、スポットライトモードに切替える場合、アイコン置き場Ｗに、スポットライトモードで使用可能な灯具制御アイコンを配置することができる。例えば、制御部１０５は、演台アイコンＰ３、スポットライトアイコンＰ４、およびデスクアイコンＰ５を、スポットライトモードで使用可能な灯具制御アイコンとしてアイコン置き場Ｗに配置する。
【００３６】
図８は、スポットライトモードにおける点灯パターン設定の他の一例を示す図である。図示の通り、制御部１０５は、灯具点灯アイコンである演台アイコンＰ３の周囲の灯具１０３が点灯するように点灯パターンを設定する。ここで、操作入力部１０８を通じたポインタＰの操作により、灯具制御アイコンが移動中の間も、制御部１０５は、随時各灯具１０３の照明状態を切替え、表示部１０６において、リアルタイムに点灯パターンを更新することができる。
【００３７】
このように、本実施形態によれば、記憶部１０７は、各灯具１０３の明暗に影響を与える灯具制御アイコンを記憶し、制御部１０５は、複数の灯具１０３の配置と灯具制御アイコンの位置とに応じて、複数の灯具１０３の点灯パターンを設定する。これにより、部屋の事前知識の有無によらず、部屋の用途に応じた灯具１０３の点灯パターンを動的に設定することが可能となる。さらに、本発明に係る点灯パターンの設定は、事前設定およびリアルタイム設定ともに対応可能である。例えば、照明制御装置１０１を携帯電話（スマートフォン）などの携帯端末で構成した場合、利用者は、実際の室内を見ながら、その場でリアルタイムに点灯パターンを設定することが可能となる。
【００３８】
また、本実施形態によれば、制御部１０５は、点灯パターンに応じて複数の灯具１０３を表示するように表示部１０６を制御する。これにより、利用者は、表示部１０６のユーザインタフェース上で、随時現在の点灯パターンの表示を確認することが可能になる。
【００３９】
また、本実施形態によれば、複数の灯具１０３を操作可能な操作機器１０４を更に備え、制御部１０５は、点灯パターンを操作機器１０４に関連付ける。これにより、会議の運営者などが、部屋壁面のスイッチ操作により、容易に所望の点灯パターンに切替えることが可能となる。また、照明制御装置１０１を携帯電話（スマートフォン）などの携帯端末で構成した場合、操作機器１０４の機能も当該携帯端末上に実装することが可能である。これにより、利用者は、実際の室内を見ながら、その場でリアルタイムに点灯パターンを設定するとともに、所定の点灯パターンへの切換を手元で行うことができるという利点がある。
【００４０】
また、本実施形態によれば、灯具制御アイコンは、各灯具を明るくする灯具点灯アイコンと、各灯具を暗くする灯具消灯アイコンとを含む。これにより、利用者は、直感的なユーザインタフェースにより所望の点灯パターンの設定が可能となる。なお、各灯具制御アイコンとして、実際のスクリーンやプロジェクター等の形状を表す画像を用いることにより、利用者は、より直感的なユーザインタフェースにより所望の点灯パターンを設定することが可能となる。
【００４１】
また、本実施形態によれば、制御部１０５は、複数の灯具１０３の点灯パターンの設定に関し、各灯具１０３が点灯した状態から点灯パターンを設定するプレゼンテーションモード（第１のモード）と、各灯具１０３が消灯した状態から点灯パターンを設定するスポットライトモード（第２のモード）とを備える。これにより、利用者は、部屋の用途や、省電力方針などに対応した設定モードを選択することができ、所望の点灯パターンをより効率よく設定することが可能となる。
【００４２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。
【００４３】
例えば、制御部１０５は、プレゼンテーションモードでの点灯パターン設定においては、スクリーンアイコンＰ１とプロジェクターアイコンＰ２との位置関係（距離）にも依存して、消灯範囲などを変更することができる。
【００４４】
また、照明制御システム１００は、例えば人感センサを備え、人がいる場所のみの灯具１０３を点灯させることにより、省電力化を行うことができる。通常の人感センサの設定値は、人を感知しなくなっても、すぐに席に戻る可能性が高いため、消灯するまでの時間が比較的長めに設定される。一方、プレゼンテーションモードやスポットライトモードにで設定するような用途では、離席後に席に戻る人は少ないものと考えられるため、消灯するまでの時間を短く設定することが可能である。
【００４５】
また、上述の実施形態では、部屋の大きさおよび形状は一定のものとして説明を行ったが、例えば間仕切り等で部屋の大きさおよび形状が変化する場合にも本発明は適用可能である。
【符号の説明】
【００４６】
１００  照明制御システム
１０１  照明制御装置
１０２  信号伝送線
１０３  灯具
１０４  操作機器
１０５  制御部
１０６  表示部
１０７  記憶部
１０８  操作入力部
５１  プレゼンテーションボタン
５２  スポットライトボタン
Ｒ  外枠
Ｗ  アイコン置き場
Ｐ  ポインタ
Ｐ１  スクリーンアイコン
Ｐ２  プロジェクターアイコン
Ｐ３  演台アイコン
Ｐ４  スポットライトアイコン
Ｐ５  デスクアイコン
【図１】
0005777454.tif 000002
【図２】
0005777454.tif 000003
【図３】
0005777454.tif 000004
【図４】
0005777454.tif 000005
【図５】
0005777454.tif 000006
【図６】
0005777454.tif 000007
【図７】
0005777454.tif 000008
【図８】
0005777454.tif 000009